【事件の表示】
　特許第２８８５３３８号「光学式ピックアップ」の特許に対する特許異議の申立てについて、次のとおり決定する。
【結　論】
　訂正を認める。
　特許第２８８５３３８号の特許を維持する。
【理　由】
I．手続きの経緯
　本件特許２８８５３３８号の発明は、昭和６０年８月８日に特許出願された特願昭６０−１７５２１８号の一部が新たに平成８年５月７日に特許出願され、平成１１年２月１２日にその特許権の設定がなされ、その後特許異議申立人村戸　良至より特許異議の申立てがなされ、その指定期間内である平成１２年４月２７日に訂正請求がなされたものである。
II．訂正の適否
１．訂正の要旨
　本件訂正請求は、特許明細書を以下のように訂正しようとするものである。
（１）訂正事項ａ
本件特許請求の範囲
「情報がトラック状に記録された記録媒体の情報を読みとるために、レンズ保持部材に固定されたレンズを前記記録媒体の媒体面にほぼ垂直な方向と前記媒体面に平行で情報トラックを横切る方向に駆動するようにし、ベースに固定された発光素子から発した光束が前記レンズ保持部材に配置した光照射部に当たった後、前記ベースに固定された少なくとも２つの受光領域へ向かうようにした光学式ピックアップにおいて、
前記光照射部は前記レンズ保持部材と一体となってほぼ直交する２方向に移動すると共に前記媒体面に垂直な境界で分離される明暗が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにしたことを特徴とする光学式ピックアップ。」を
「情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、ベースに固定された発光素子から発した光束が前記レンズ保持部材に配置した光照射部に当たった後、前記ベースに固定された少なくとも２つの受光領域へ向かうようにし、前記レンズを前記第２の方向に駆動するための第１のコイルと第２のコイルとの間に前記レンズ保持部材が存在するようにした光学式ピックアッフにおいて、
　前記光照射部は前記レンズ保持部材と一体となってほぼ直交する２方向に移動すると共に前記媒体面に垂直な境界で分離される明暗が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とする光学式ピックアップ。」に訂正する。
（２）訂正事項ｂ
　【０００９】中の
「本発明の光学式ピックアップは、情報がトラック状に記録された記録媒体の情報を読みとるために、レンズ保持部材に固定されたレンズを前記記録媒体の媒体面にほぼ垂直な方向と前記媒体面に平行で情報トラックを横切る方向に駆動するようにし、ベースに固定された発光素子から発した光束が前記レンズ保持部材に配置した光照射部（発光素子から発した光束が照射される部分を言い、光照射部の数は限定されない）に当たった後、前記ベースに固定された少なくとも２つの受光領域へ向かうようにした光学式ピックアップにおいて、前記光照射部は前記レンズ保持部材と一体となってほぼ直交する２方向に移動すると共に前記媒体面に垂直な境界で分離される明暗（「前記媒体面に垂直な境界で分離される明暗」とは明部と暗部とが媒体面に垂直な境界で分けられる形態を言う）が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし（「前記受光領域へ向かわないようにし」には「前記受光領域へ光が積極的に向かわないように意図した」の意味も含む）、前記光照射部は２つの前記境界部を有し、前記各境界部を境とする前記一方の側の光束がそれぞれ前記受光領域へ達するようにし、前記受光領域の出力信号を比較するようにしたことを特徴とするものである。」を
「本発明の光学式ピックアップは、情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、ベースに固定された発光素子から発した光束が前記レンズ保持部材に配置した光照射部（発光素子から発した光束が照射される部分を言い、光照射部の数は限定されない）に当たった後、前記ベースに固定された少なくとも２つの受光領域へ向かうようにし、前記レンズを前記第２の方向に駆動するための第１のコイルと第２のコイルとの間に前記レンズ保持部材が存在するようにした光学式ピックアップにおいて、
　前記光照射部は前記レンズ保持部材と一体となってほぼ直交する２方向に移動すると共に前記媒体面に垂直な境界で分離される明暗（「前記媒体面に垂直な境界で分離される明暗」とは明部と暗部とが媒体面に垂直な境界で分けられる形態を言う）が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし（「前記受光領域へ向かわないようにし」には「前記受光領域へ光が積極的に向かわないように意図した」の意味も含む）、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とするものである。」に訂正する。
（３）訂正事項ｃ
　【００２１】中の「本発明の光学式ピックアップは、情報がトラック状に記録された記録媒体の情報を読みとるために、レンズ保持部材（例えば前記実施例のレンズ保持枠３５）に固定されたレンズ（例えば前記実施例の対物レンズ３４）を前記記録媒体の媒体面にほぼ垂直な方向と前記媒体面に平行で情報トラックを横切る方向に駆動するようにし、ベース（例えば前記実施例の第１および第２固定ヨーク３１ａ，３１ｂ、第１および第２永久磁石３２ａ，３２ｂなどのように光学式ピックアップにおいて静止している部材はベースに該当する）に固定された発光素子から発した光束が前記レンズ保持部材に配置した光照射部（例えば前記図４の構成の場合では、検出部４４の発光素子４１に対向する面で且つ発光素子４１から発する光束が当たる面）に当たった後、前記ベースに固定された少なくとも２つの受光領域へ向かうようにした光学式ピックアップにおいて、前記光照射部は前記レンズ保持部材と一体となってほぼ直交する２方向に移動すると共に前記媒体面に垂直な境界（例えば、前記実施例の図４の受光領域３９ａ，３９ｂの面に入射する光束の暗部と明部の境界、当該境界は媒体面に垂直の関係になっている）で分離される明暗が前記受光領域に形成されるようにした前記媒体面に垂直な境界部〔例えば、図４の構成の場合では、長方形の線図で描かれた検出部４４のうち発光素子４１側の２つの角における紙面に垂直な２つの稜が境界部に相当する。図３の構成の場合では、検出部４４の手前側に発光素子４１が配置されているとすれば、検出部４４の手前側の２つの稜（検出部４４の線図のうちで手前側の縦の２本の直線）が境界部に相当する〕を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにしたことを特徴とするから、本発明は以下の効果がある。
　極めて簡単な構成で対物レンズのベースに対する変位位置を高精度で検出でき、且つ小型の光学式ピックアップを得ることができる利点がある。」を「本発明の光学式ピックアップは、情報がトラック状に記録された記録媒体の情報を読みとるために、レンズ保持部材（例えば前記実施例のレンズ保持枠３５）に固定されたレンズ（例えば前記実施例の対物レンズ３４）を前記記録媒体の媒体面にほぼ垂直な第１の方向と前記媒体面に平行で情報トラックを横切る第２の方向に駆動するようにし、ベース（例えば前記実施例の第１および第２固定ヨーク３１ａ，３１ｂ、第１および第２永久磁石３２ａ，３２ｂなどのように光学式ピックアップにおいて静止している部材はベースに該当する）に固定された発光素子から発した光束が前記レンズ保持部材に配置した光照射部（例えば前記図４の構成の場合では、検出部４４の発光素子４１に対向する面で且つ発光素子４１から発する光束が当たる面）に当たった後、前記ベースに固定された少なくとも２つの受光領域へ向かうようにし、前記レンズを前記第２の方向に駆動するための第１のコイル（例えば図２の構成の場合では、トラッキング用コイル３３ａ）と第２のコイル（例えば図２の構成の場合では、トラッキング用コイル３３ｂ）との間に前記レンズ保持部材が存在するようにした光学式ピックアップにおいて、前記光照射部は前記レンズ保持部材と一体となってほぼ直交する２方向に移動すると共に前記媒体面に垂直な境界（例えば、前記実施例の図４の受光領域３９ａ，３９ｂの面に入射する光束の暗部と明部の境界、当該境界は媒体面に垂直の関係になっている）で分離される明暗が前記受光領域に形成されるようにした前記媒体面に垂直な境界部〔例えば、図４の構成の場合では、長方形の線図で描かれた検出部４４のうち発光素子４１側の２つの角における紙面に垂直な２つの稜が境界部に相当する。図３の構成の場合では、検出部４４の手前側に発光素子４１が配置されているとすれば、検出部４４の手前側の２つの稜（検出部４４の線図のうちで手前側の縦の２本の直線）が境界部に相当する〕を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とするから、本発明は以下の効果がある。
　極めて簡単な構成で対物レンズのベースに対する変位位置を高精度で検出でき、且つ小型の光学式ピックアップを得ることができる利点がある。」に訂正する。
２．訂正の目的の適否及び拡張・変更の存否
  訂正事項ａ，ｂ，ｃはともに、訂正前の特許請求の範囲及び発明の詳細な説明中の特許請求の範囲の記載に対応する部分において、
（ｉ）「記録媒体の媒体面にほぼ垂直な方向」を「第１の方向」、「記録媒体面に平行で情報トラックを横切る」方向を「第２の方向」にする
とともに、
（ii)「前記レンズを前記第２の方向に駆動するための第１のコイルと第２のコイルとの間に前記レンズ保持部材が存在するようにした」点、
及び
（iii）「前記第１のコイルと前記第２のコイルとに交わる前記媒体面に垂直な仮想平面を想定したとき、前記光照射部は前記仮想平面に交わらないように配置されている」点
を追加するものである。
（i）は単に方向を明確にしただけであり、
（ii)は、本願出願に最初に添付した明細書及び本願の出願分割の基礎となる特願昭６０−１７５２１８号の出願に最初に添付した明細書における記載
「第１および第２固定ヨーク３１ａ、３１ｂのほぼ中央部にはトラッキング用コイル３３ａ，３３ｂが巻装されている。前記トラッキング用コイル３３ａ，３３ｂが巻装された第１および第２固定ヨーク３１ａ、３１ｂの間には対物レンズ３４が配設されている。この対物レンズ３４は、その光軸方向を外枠２２の中心軸方向に向け、レンズ保持枠３５に取付けられている。」及び第１，２図に対応するものであって、特許請求の範囲の「レンズ」をより詳細に規定するものである。
　そして、（iii）もまた、本願出願に最初に添付した明細書及び本願の出願分割の基礎となる特願昭６０−１７５２１８号の出願に最初に添付した明細書における記載
「前記第１（又は第２）永久磁石３２ａに近い第１固定ヨーク３１ａの内面側には、受光素子固定部材３８が装着されており、この固定部材３８に受光素子３９が固着されている。この受光素子３９はトラッキング方向に２分割された受光領域３９、３９ｂを有している。又、前記受光素子３９に対峙する第２固定ヨーク３１ｂには、発光素子固定部材４０が装着されており、この固定部材４０に発光素子４１が固着されている。又、前記対物レンズ３４を取付けたレンズ保持部材３５には、位置検出用部材４２が固着されている。」及び第１，２図に対応し、特許請求の範囲の「光照射部」をさらに詳細に規定するものである。
　従って、訂正事項ａは、特許法第１２０条の４第２項第１号に規定する特許請求の範囲の減縮を目的とするものであり、訂正事項ｂは、上記特許請求の範囲の訂正に対応して、特許法第１２０条の４第２項第３号に規定する明瞭でない記載の釈明を目的とするものである。訂正事項ｃも、上記特許請求の範囲の訂正に対応して、特許法第１２０条の４第２項第３号に規定する明瞭でない記載の釈明を目的とするものである。
　また、上記訂正事項は、新規事項を追加したり、特許請求の範囲を実質的に拡張・変更するものでもない。
　３．独立特許要件の判断
（１）訂正明細書の発明
　平成１２年４月２７日付で提出された訂正明細書の請求項１，に係る発明は、その特許請求の範囲の請求項１に記載された次のとおりのものである。（以後、「訂正発明」という。）
「Ａ．情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、
Ｂ．ベースに固定された発光素子から発した光束が前記レンズ保持部材に配置した光照射部に当たった後、前記ベースに固定された少なくとも２つの受光領域へ向かうようにし、
Ｃ．前記レンズを前記第２の方向に駆動するための第１のコイルと第２のコイルとの間に前記レンズ保持部材が存在するようにした光学式ピックアップにおいて、
Ｄ．前記光照射部は前記レンズ保持部材と一体となってほぼ直交する２方向に移動すると共に前記媒体面に垂直な境界で分離される明暗が前記受光領域に形成されるようにした前記媒体面に垂直な境界部を有しており、
Ｅ．前記光束が前記光照射部に当たったとき、前記境界部を境として一方の側の光束が前記受光領域へ向かい、前記境界部を境として他方の側の光束が前記受光領域へ向かわないようにし、
Ｆ．前記光照射部は２つの前記境界部を有し、
Ｇ．前記各境界部を境とする前記一方の側の光束がそれぞれ前記受光領域へ達するようにし、
Ｈ．前記受光領域の出力信号を比較するようにし、
Ｉ．前記第１のコイルと前記第２のコイルとに交わる前記媒体面に垂直な仮想平面を想定したとき、前記光照射部は前記仮想平面に交わらないように配置されていることを特徴とする
Ｊ．光学式ピックアップ。」
（なお、符号Ａ〜Ｊは審理の便宜上付したもの）
（２）先願明細書に記載の考案
　訂正発明に対し、当審が取消理由通知において示した、本願出願の日前の出願であって、その出願後に出願公開された実願昭６０−１０２５１７号（実開昭６２−１１２３０号公報及びマイクロフィルム参照）の願書に最初に添付された明細書（以後、「先願明細書」という）の第２頁〜第４頁には従来の技術として、次の事項が記載されている。
「光学式ビデオディスクまたは光学式デジタルオーデイオデイスクの再生装置においては、光学ピックアップからの光ビームがディスクのトラックを正確に追随するように．トラッキンクサーボ及びスライドサーボによって光ビームを制御している。
　トラツキングサ−ボ及びスライドサーボを安定に動作させるためには、光学ピックアツプの、特に対物レンズの位置を正確に検出することが重要であって、このため、従来は、第９図に示すような位置検出装置が用いられていた。
　第９図において、（１）は光学ピックアップの対物レンズであつて、レンズ駆動部（２）の上面に取付けられる。この駆動部（２）は、ゴムやばねのような可撓性の支持部材（３）によって支持台（４）に支持され、図示を省略した２軸駆動機構によって、ｘ方向（トラッキング方向）及びｚ方向（フオーカス方向）に駆動される。駆動部（２）のｘ方向に垂直な側壁に垂直に（ｚ方向に平行に）取付けられた遮光板（５）にｚ方向に平行なスリット（６）が設けられ、このスリット（６）を挟んで、発光ダイオード等の光源（７）と、１対の光検出器（８），（９）とが対向している。
　スリット（６）、光源の及び両光検出器（８），（９）の相対位置は、レンズ駆動部（２）が、ｘ方向に関して、中立位直にあるとき、第１０図Ｂに示すように、光源（７）からスリット（６）を通って両検出器（８）及び（９）にそれぞれ入射する光量（簡単のために、受光面積Ｓ8及びＳ9で表わす）が等しくなり、入射光量に比例する両光検出器（８）及び（９）の出力 Ｅ8及び Ｅ9が等しくなるように定められ、光源（７）及び両光検出器（８），（９）は支持台（４）の延長部（図示を省略）に固定される。再生装置の動作中、レンズ駆動部（２）が中立位置からずれて、第１０図Ａに示すように、光源（７）と両光検出器（８）、（９）の接線とを結ぶ基準線Ｒに対して、受光板（５）が左方へ変位した場合、一方の光検出器（８）の受光面積Ｓ8は他方の光検出器（９）の受光面積Ｓ9よりも大きくなる。また、第１０図Ｃに示すよう、遮光板（５）が基準線Ｒに対して右方へ変位した場合、上述とは逆に、一方の光検出器（８）の受光面積Ｓ8 は他方の光検出器（９）の受光面積Ｓ9よりも小さくなる。
このようにして、遮光板（５）の位置、即ち、レンズ駆動部の位置に応じた位置検出情報が得られる。」
　ここにおいて、上記先願明細書に記載の「光学式ビデオディスクまたは光学式デジタルオーデイオデイスク」、「支持台（４）」、「光ピックアップ」、「光ビーム」、「対物レンズ（１）」、「支持台（４）の延長部に固定された発光ダイオード等の光源（７）」、「ｚ方向（トラッキング方向）」、「ｘ方向（フォーカス方向）」、「支持台（４）の延長部に固定された２つの光検出器（８）、（９）（正確には両光検出器のそれぞれの受光領域）」が、それぞれ訂正発明の「情報がトラック状に記録された記録媒体」、「ベース」、「光学式ピックアップ」、「光束」、「レンズ」、「ベースに固定された発光素子」、「媒体面にほぼ垂直な方向」、「媒体面に平行で情報トラックを横切る方向」、「ベースに固定された２つの受光領域」に相当することは明らかである。上記明細書に記載の「レンズ駆動部（２）」はその上面に対物レンズ（１）が取付けられ、可撓性の支持部材（３）で支持台（４）に支持され、２軸駆動装置によって、ｘ方向、ｚ方向に起動されるので、本件特許発明の「レンズ保持部材」に相当すると認められる。また、「レンズ保持部材」に相当する駆動部（２）のｘ方向に垂直な側壁に垂直に（ｘ方向に平行に）取り付けられた遮光板（５）にｚ方向に平行にすなわち媒体面にほぼ垂直な方向に設けられたスリット（６）は、「ベースに固定された発光素子」に相当する発光ダイオード等の光源と、「ベースに固定された２つの受光領域」の相当する一対の 光検出器（８）、（９）に挟まれ、光源（７）からスリット（６）を通って両光検出器（８）、（９）のそれぞれに入射する光量に比例する両検出器（８）、（９）の出力Ｅ８，Ｅ９を測定・比較することから、「遮光板（５）」が訂正発明の「レンズ保持部材に配置した光照射部」に相当する。そして、遮光板（５）にｚ方向に平行すなわち媒体面にほぼ垂直な方向に設けられたスリット（６）には媒体面にほぼ垂直な縦の側縁辺部が２つあり、第１０図に示されるように、支持台（４）の延長部に固定された光源７からの光ビームがレンズ駆動部（２）の側壁に配置した遮光板（５）に当たった後、遮光板（５）に設けたスリット（６）を通って、支持台（４）の延長部に固定した光検出器（８）、（９）（の受光領域）に向かい、受光領域に媒体面に垂直な境界で分離される明暗を形成する。その際、スリット（６）の２つの媒体面に垂直な側縁辺部のうち左側の側縁辺部を境にして右側、及び右側の側縁辺部を境にして左側の光ビームが２つの光検出器（８）、（９）（の受光領域）に向かい、前記２つの側縁辺部を境にしてそれぞれの他方の側の光ビームが前記両光検出器（８）、（９）（の受光領域）に向かわないようになっていることから、遮光板（５）のスリット（６）の２つの媒体面に垂直な側縁辺部は訂正発明の「境界部」と類似の機能を有する「境界線」として作用する。
　前記先願明細書の記載をこれらの考察をもとに総合し、対比を容易にするために訂正発明の用語を用いて表現すると、前記先願明細書には、
「Ａ’．情報がトラック状に記録された記録媒体の情報を読みとるため、レンズ保持部材に固定されたレンズを前記記録媒体の媒体面にほぼ垂直な第１の方向と前記媒体面に平行で情報トラックを横切る第２の方向に駆動するようにし、 
Ｂ’．ベースに固定された発光素子から発した光束が前記レンズ保持部材に配置した光照射部に当たった後、前記ベースに固定された少なくとも２つの受光領域に向かうようにした
Ｃ’．光学式ピックアップにおいて、
Ｄ’．前記光照射部は前記レンズ保持部と一体となってほぼ直交する２方向に移動すると共に前記媒体面に垂直な境界で分離される明暗が前記受光領域に形成されるようにした前記媒体面に垂直な境界線を有しており、
Ｅ’．前記光束が前記光照射部に当たったとき、前記境界線を境として一方の側の光束が前記受光領域へ向かい、前記境界線を境として他方の側の光束が前記受光領域に向かわないようにし、    
Ｆ’．前記光照射部は２つの前記境界線を有し、
Ｇ’．前記各境界線を境とする前記一方の側の光束がそれぞれ前記受光領域へ達するようにし、  
Ｈ’．前記受光領域の出力信号を比較するようにしたことを特徴とする 
Ｊ’．光学式ピックアップ。」
が記載されているものと認められる。（以後、「先願考案」と称する。）
（３）対比・判断
  本件訂正発明と先願考案とを対比すると、本件訂正発明のＡ，Ｂ，Ｃ、Ｈ、Ｊの構成と先願考案のＡ’，Ｂ’、Ｃ’、Ｈ’、Ｊ’の構成の比較において文言上は一致しており、
相違点１：
　訂正発明のＢ〜Ｇの「境界部」と先願考案のＢ’〜Ｇ’の「境界線」に関しては、前記「境界部」、「境界線」のそれぞれについて、文言上及び機能的には両者間の差異を認めることができないが、それぞれの実施の態様では異なっている。
相違点２：
　訂正発明では、記載Ｃ、Ｉに記載されるように、レンズを前記第２の方向に駆動するための第１のコイルと第２のコイルとの間にレンズ保持部材が存在するようにするようにしているのに対し、先願考案には、このようなレンズ保持部材を挟み、レンズを第２の方向に駆動する２つのコイルに関する規定は何もない。
相違点３：
　訂正発明では、前記第１のコイルと前記第２のコイルとに交わる媒体面に垂直な仮想平面を想定したとき、光照射部が前記仮想平面に交わらないように配置されるようにしているのに対し、先願考案には、この点に関する規定は何もない。
ので、以上の３点を一応の相違点としてさらに検討を加えることにする。
相違点１に関し；
　まず、訂正発明では、光照射部の「境界部」が位置検出部材の検出部４４の縦の線からなり、この「境界部」を境界とする検出部の陰影を２つの受光領域に投影し、夫々の受光領域における該陰影に遮られない部分の面積に比例する出力信号同士を比較しているのに対し、先願考案では、光照射部の「境界線」は遮光部（５）に媒体面に垂直に設けたスリット（６）の縦の側縁辺部からなり、この側縁辺部と上下縁辺部で囲まれた矩形の領域を通過した光束が２つの受光領域にわたって投射され、夫々の受光領域において投射光の面積に比例して出力する出力信号同士を比較している点で異なるが、検出原理も、対物レンズの位置を該対物レンズが媒体面に平行な方向で中立位置にあるときに、２つの検出器に同じ光量の光束が入射するように配置し、中立位置からずれたときに、そのずれに比例して夫々の受光領域における入射光量が変化するようにして、それぞれの受光領域に対応する２つの検出器の出力信号同士を比較する点で全く同じであるため、両者間の差異は２つの受光領域の隣合う部分に影が投影されるか、スリットを通過した光が投射されるかの違い以外実質的な差異は何もなく、そのどちらを採用するかは単なる設計的事項に過ぎない。
相違点２に関し；
　対物レンズを前記第２の方向に駆動するための第１のコイルと第２のコイルとの間にレンズ保持部材が存在するようにすることは、本件特許出願時にすでに、請求人自身等によって周知にされ、他の多くの文献に引用されていたトラッキング制御機構のコイルの配置そのものであり（必要ならば、特開昭５６−１１７３３７号公報、特開昭６０−１５８３６号公報、実願昭５７−１３４４３５号のマイクロフィルム（実開昭５９−３９４４３号公報参照）、特開昭５９−３３６４０号公報、特開昭５８−１１１１３４号公報、特開昭５８−１６９３４５号公報、実願昭５６−６９６００号のマイクロフィルム（実開昭５７−１８４５２８号公報参照）等を参照されたい）、訂正発明において、先願考案と共通するＡ〜Ｈ、Ｉで規定される構成に加えて、このようなコイルを配置しても、周知の構成の付加にともなって、該構成が本来的に備える予期可能な効果以上の複合的な作用効果を新たに生じせしめたとも認められないので、この構成の付加は、先願考案に周知慣用技術を単純に付加したに過ぎないものと認められる。
　以上の２つの相違点については、上記のように先願考案との実質的な相違は発見できなかったが、相違点３に関しては、
「第１のコイルと前記第２のコイルとに交わる前記媒体面に垂直な仮想平面を想定したとき、光照射部は前記仮想平面に交わらないように配置されている」構成については、引用した先願明細書には全く開示がなく、また上記した周知慣用技術にも相当するものがない。　そして、このように配置することにより、構成が簡単で小型な対物レンズの位置検出装置を搭載した光学式ピックアップが実現できると言う、先願発明にない利点がある。
  従って、上記訂正発明は先願考案と同一であるとは言えず、特許出願の際独立して特許を受けることができるものである。
　４．まとめ
　以上のとおり、上記訂正事項は、新規事項を追加したり、特許請求の範囲を実質的に拡張・変更するものでもなく、また訂正後の発明は、その出願の際独立して特許を受けることができると認められることから、特許法第１２０条の４第３項で準用する特許法第１２６条第２〜４項の規定に適合し、当該訂正を認める。
III．特許異議の申立てについての判断
　１．本件発明
　本件発明は、平成１２年４月２７日付で提出された訂正明細書の特許請求の範囲の請求項１に記載されたとおりのもの、すなわちII．３．（１）の訂正発明と同一である。
　２．申立ての理由の概要 
　特許異議申立人村戸　良至は、本件発明は、本願出願の日前の出願であって、その出願後に出願公開された実願昭６０−１０２５１７号（実開昭６２−１１２３０号公報及びマイクロフィルム参照）の願書に最初に添付された明細書に記載の考案と、実質的に同一であり、特許法第２９条の２の規定により特許を受けることができないので、同法第１１３条第２号の規定により取り消すべき旨主張している。 
　３．判断
　上記II．３．で議論したように、「第１のコイルと前記第２のコイルとに交わる前記媒体面に垂直な仮想平面を想定したとき、光照射部は前記仮想平面に交わらないように配置されている」構成については、引用した先願明細書には全く開示がなく、周知慣用技術とも言えないため、本件発明を先願明細書に記載の考案と実質的にも同一とは認められない。
　４．むすび
  以上のとおりであるから、特許異議申立ての理由及び証拠によっては、本件発明についての特許を取り消すことはできない。
　また、他に本件発明についての発明を取り消すべき理由を発見できない。
　よって結論のとおり決定する。
【異議決定日】
平成１２年７月５日（２０００．７．５）
【訂正の要旨】
　（１）訂正事項ａ
本件特許請求の範囲
「情報がトラック状に記録された記録媒体の情報を読みとるために、レンズ保持部材に固定されたレンズを前記記録媒体の媒体面にほぼ垂直な方向と前記媒体面に平行で情報トラックを横切る方向に駆動するようにし、ベースに固定された発光素子から発した光束が前記レンズ保持部材に配置した光照射部に当たった後、前記ベースに固定された少なくとも２つの受光領域へ向かうようにした光学式ピックアップにおいて、
前記光照射部は前記レンズ保持部材と一体となってほぼ直交する２方向に移動すると共に前記媒体面に垂直な境界で分離される明暗が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにしたことを特徴とする光学式ピックアップ。」を
「情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、ベースに固定された発光素子から発した光束が前記レンズ保持部材に配置した光照射部に当たった後、前記ベースに固定された少なくとも２つの受光領域へ向かうようにし、前記レンズを前記第２の方向に駆動するための第１のコイルと第２のコイルとの間に前記レンズ保持部材が存在するようにした光学式ピックアップにおいて、
　前記光照射部は前記レンズ保持部材と一体となってほぼ直交する２方向に移動すると共に前記媒体面に垂直な境界で分離される明暗が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき１前記光照射部は前記仮想平面に交わらないように配置されていることを特徴とする光学式ピックアップ。」に訂正する。
　（２）訂正事項ｂ
　【０００９】中の
「本発明の光学式ピックアップは、情報がトラック状に記録された記録媒体の情報を読みとるために、レンズ保持部材に固定されたレンズを前記記録媒体の媒体面にほぼ垂直な方向と前記媒体面に平行で情報トラックを横切る方向に駆動するようにし、ベースに固定された発光素子から発した光束が前記レンズ保持部材に配置した光照射部（発光素子から発した光束が照射される部分を言い、光照射部の数は限定されない）に当たった後、前記ベースに固定された少なくとも２つの受光領域へ向かうようにした光学式ピックアップにおいて、前記光照射部は前記レンズ保持部材と一体となってほぼ直交する２方向に移動すると共に前記媒体面に垂直な境界で分離される明暗（「前記媒体面に垂直な境界で分離される明暗」とは明部と暗部とが媒体面に垂直な境界で分けられる形態を言う）が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし（「前記受光領域へ向かわないようにし」には「前記受光領域へ光が積極的に向かわないように意図した」の意味も含む）、前記光照射部は２つの前記境界部を有し、前記各境界部を境とする前記一方の側の光束がそれぞれ前記受光領域へ達するようにし、前記受光領域の出力信号を比較するようにしたことを特徴とするものである。」を
「本発明の光学式ピックアップは、情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、ベースに固定された発光素子から発した光束が前記レンズ保持部材に配置した光照射部（発光素子から発した光束が照射される部分を言い、光照射部の数は限定されない）に当たった後、前記ベースに固定された少なくとも２つの受光領域へ向かうようにし、前記レンズを前記第２の方向に駆動するための第１のコイルと第２のコイルとの間に前記レンズ保持部材が存在するようにした光学式ピックアップにおいて、
　前記光照射部は前記レンズ保持部材と一体となってほぼ直交する２方向に移動すると共に前記媒体面に垂直な境界で分離される明暗（「前記媒体面に垂直な境界で分離される明暗」とは明部と暗部とが媒体面に垂直な境界で分けられる形態を言う）が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし（「前記受光領域へ向かわないようにし」には「前記受光領域へ光が積極的に向かわないように意図した」の意味も含む）、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とするものである。」に訂正する。
　（３）訂正事項ｃ
　同明細書第９頁第２２行〜第１０頁第２０行「本発明の光学式ピックアップは、情報がトラック状に記録された記録媒体の情報を読みとるために、レンズ保持部材（例えば前記実施例のレンズ保持枠３５）に固定されたレンズ（例えば前記実施例の対物レンズ３４）を前記記録媒体の媒体面にほぼ垂直な方向と前記媒体面に平行で情報トラックを横切る方向に駆動するようにし、ベース（例えば前記実施例の第１および第２固定ヨーク３１ａ，３１ｂ、第１および第２永久磁石３２ａ，３２ｂなどのように光学式ピックアップにおいて静止している部材はベースに該当する）に固定された発光素子から発した光束が前記レンズ保持部材に配置した光照射部（例えば前記図４の構成の場合では、検出部４４の発光素子４１に対向する面で且つ発光素子４１から発する光束が当たる面）に当たった後、前記ベースに固定された少なくとも２つの受光領域へ向かうようにした光学式ピックアップにおいて、前記光照射部は前記レンズ保持部材と一体となってほぼ直交する２方向に移動すると共に前記媒体面に垂直な境界（例えば、前記実施例の図４の受光領域３９ａ，３９ｂの面に入射する光束の暗部と明部の境界、当該境界は媒体面に垂直の関係になっている）で分離される明暗が前記受光領域に形成されるようにした前記媒体面に垂直な境界部〔例えば、図４の構成の場合では、長方形の線図で描かれた検出部４４のうち発光素子４１側の２つの角における紙面に垂直な２つの稜が境界部に相当する。図３の構成の場合では、検出部４４の手前側に発光素子４１が配置されているとすれば、検出部４４の手前側の２つの稜（検出部４４の線図のうちで手前側の縦の２本の直線）が境界部に相当する〕を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにしたことを特徴とするから、本発明は以下の効果がある。
　極めて簡単な構成で対物レンズのベースに対する変位位置を高精度で検出でき、且つ小型の光学式ピックアップを得ることができる利点がある。」を「本発明の光学式ピックアップは、情報がトラック状に記録された記録媒体の情報を読みとるために、レンズ保持部材（例えば前記実施例のレンズ保持枠３５）に固定されたレンズ（例えば前記実施例の対物レンズ３４）を前記記録媒体の媒体面にほぼ垂直な第１の方向と前記媒体面に平行で情報トラックを横切る第２の方向に駆動するようにし、ベース（例えば前記実施例の第１および第２固定ヨーク３１ａ，３１ｂ、第１および第２永久磁石３２ａ，３２ｂなどのように光学式ピックアップにおいて静止している部材はベースに該当する）に固定された発光素子から発した光束が前記レンズ保持部材に配置した光照射部（例えば前記図４の構成の場合では、検出部４４の発光素子４１に対向する面で且つ発光素子４１から発する光束が当たる面）に当たった後、前記ベースに固定された少なくとも２つの受光領域へ向かうようにし、前記レンズを前記第２の方向に駆動するための第１のコイル（例えば図２の構成の場合では、トラッキング用コイル３３ａ）と第２のコイル（例えば図２の構成の場合では、トラッキング用コイル３３ｂ）との間に前記レンズ保持部材が存在するようにした光学式ピックアップにおいて、前記光照射部は前記レンズ保持部材と一体となってほぼ直交する２方向に移動すると共に前記媒体面に垂直な境界（例えば、前記実施例の図４の受光領域３９ａ，３９ｂの面に入射する光束の暗部と明部の境界、当該境界は媒体面に垂直の関係になっている）で分離される明暗が前記受光領域に形成されるようにした前記媒体面に垂直な境界部〔例えば、図４の構成の場合では、長方形の線図で描かれた検出部４４のうち発光素子４１側の２つの角における紙面に垂直な２っの稜が境界部に相当する。図３の構成の場合では、検出部４４の手前側に発光素子４１が配置されているとすれば、検出部４４の手前側の２つの稜（検出部４４の線図のうちで手前側の縦の２本の直線）が境界部に相当する〕を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とするから、本発明は以下の効果がある。
　極めて簡単な構成で対物レンズのベースに対する変位位置を高精度で検出でき、且つ小型の光学式ピックアップを得ることができる利点がある。」に訂正する。
（５４）【発明の名称】
光学式ピックアップ
（５７）【特許請求の範囲】
　【請求項１】
　情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、ベースに固定された発光素子から発した光束が前記レンズ保持部材に配置した光照射部に当たった後、前記ベースに固定された少なくとも２つの受光領域へ向かうようにし、前記レンズを前記第２の方向に駆動するための第１のコイルと第２のコイルとの間に前記レンズ保持部材が存在するようにした光学式ピックアップにおいて、前記光照射部は前記レンズ保持部材と一体となってほぼ直交する２方向に移動すると共に前記媒体面に垂直な境界で分離される明暗が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とする光学式ピックアップ。
【発明の詳細な説明】
　【０００１】
　【発明の属する技術分野】
　本発明は、光ディスクの信号の再生等に使用する光学式ピックアップに関する。
　【０００２】
　【従来の技術】
　従来、オーディオ・ディスク、ビデオ・ディスク、データ・ディスク等の光ディスクの信号の記録、再生のために種々のピックアップが提案されている。
　例えば、第７図に示すものがある。この光学式ピックアップはフォーカスエラー信号を臨界角法により検出するようにしたものである。
　【０００３】
　光源１から出射された光線はコリメートレンズ２により平行光束にされた後、偏光プリズム３に入射させてその偏光膜４で反射させてから反射面５に至る。そして、この反射面５で直角方向に全反射された平行光束は１／４波長板６を経て対物レンズ７により収束されて、光ディスク８上に約直径１μｍの光スポットとして結像される。対物レンズ７はマグネット、ヨーク、コイル等を備える対物レンズアクチュエータ９内に、光軸および光軸と直交する光ディスク８の半径方向の２軸方向に移動可能に支持され、この対物レンズアクチュエータ９により前記２軸方向に駆動されて光スポットが光ディスク８のトラックの中央にフォーカス状態で追従するようにフォーカスサーボおよびトラッキングサーボが行われる。光スポットの光ディスク８での反射光は偏光膜４までは往路と同じ光路をたどるが復路においては１／４波長板６の作用によりその偏光方向が往路の偏光方向に対し直交するため偏光膜４を透過する。この偏光膜４を透過した光ディスク８からの戻り光は、臨界角プリズム１０を経て光検出器１１に入射される。前記臨界角プリズム１０は、合焦時に光ディスク８からの戻り光の光軸に対する入射角がほぼ臨界角となるようにした光学面を有し、この光学面で戻り光を反射させることにより光検出器１１に入射させている。又、光検出器１１は光ディスク８のラジアル方向およびタンジェンシャル方向にそれぞれ２分した４つの受光領域を有し、これらの受光領域の出力からデータ信号、フォーカスエラー信号およびトラッキングエラー信号を得るようになっている。
　【０００４】
　尚、本出願人は、例えば特開昭５５−１４６６３６号公報に前記構造に係る光学式ピックアップに関する従来の技術を開示している。しかしながら、前記構造に係る対物レンズアクチュエータのトラッキングサーボ機構は、通常の記録再生動作時のみにしかトラッキングエラー信号がフィードバックされない構成になっている。そのため、例えば高速アクセス時には、ピックアップキャリッジを動かすが、このキャリッジの加減速のときに該キャリッジの駆動方向に平行力が生じ、対物レンズをトラッキング方向に移動可能に支持するばね等に不要振動が発生する。この不要振動が、位置決め精度を劣化させたり、サーボ制御を不能としたり、またアクセス時間を遅らせる等の問題点を生じさせることがあった。
　【０００５】
　尚、特開昭５８−２６３３１号公報には、対物レンズ位置を静電容量型非接触式微少変位検出プローブを用いて検出しトラッキングの追従制御を常にクローズドループ制御できるよう構成した光ヘッドに関する従来の技術が提案されている。しかしながら、この従来の技術では、静電容量式の検出センサを用いているため、出力信号を線形化するのにリニアアナライザが必要になるとともに、センサ径が大きいため光学式ピックアップの小型化に適さなかった。又、外部からの電磁気的なノイズの影響を受けるおそれがあった。
　【０００６】
　また、例えば特開昭５７−９４９４２号公報に開示されているような、光源からの光束を対物レンズの方向へ反射させるミラーをアクチュエータにて所定角回動させることでトラッキング制御を行うタイプの光学式ピックアップでは、高速アクセス時のミラーに発生する不要振動を除くため、角度位置検出装置を用いて、アクセス時のミラーの傾斜角度を補正動作させるようになっている。かかる構成は検出部であるミラーがレンズが固定されたレンズ保持部材と一体となってほぼ直交する２方向に移動する構成になっていない。しかもミラーは１方向にしか移動しない。
　【０００７】
　また特開昭５５−１５３１３８号公報第３、４図には光照射部である遮光部２６がレンズ保持部材であるピックアップ支持板１１に配置された構成が説明されている。この遮光部２６には記録媒体の媒体面に垂直な方向に見たとき、直線状の境界部（公報第３図のピックアップ支持板１１の外形線図のうち縦方向の直線部分を言う）が形成されており、光源２７から発した光束がこの境界部に当たった後光検知器２８に向かうように構成されている。ここで、遮光部２６は光源２７から発する光束に明るい光領域と暗い光領域とを形成するように構成されており、光検出器２８の検出面上には直線状の境界で仕切られる明暗が形成される。
　しかしながら、当該公報に開示の構成は、ピックアップ支持板１１が媒体面に垂直な方向に変位すると、遮光部２６の公報第３図での水平方向（横方向）の位置が正確に検出できない欠点がある。
　【０００８】
　【発明が解決しようとする課題】
　本発明は、上記事情に鑑みてなされたもので、例えば、高速アクセス時などに生じる、対物レンズのベース（静止部材）に対する変位位置を、極めて簡単な構成で、しかも高精度で検出でき、小型化が図れる光学式ピックアップを提供することを目的とする。
　【０００９】
　【課題を解決するための手段】
　本発明の光学式ピックアップは、情報がトラック状に記録された記録媒体の情報を読みとるために、レンズ保持部材に固定されたレンズを前記記録媒体の媒体面にほぼ垂直な第１の方向と前記媒体面に平行で情報トラックを横切る第２の方向に駆動するようにし、ベースに固定された発光素子から発した光束が前記レンズ保持部材に配置した光照射部（発光素子から発した光束が照射される部分を言い、光照射部の数は限定されない）に当たった後、前記ベースに固定された少なくとも２つの受光領域へ向かうようにし、前記レンズを前記第２の方向に駆動するための第１のコイルと第２のコイルとの間に前記レンズ保持部材が存在するようにした光学式ピックアップにおいて、
　前記光照射部は前記レンズ保持部材と一体となってほぼ直交する２方向に移動すると共に前記媒体面に垂直な境界で分離される明暗（「前記媒体面に垂直な境界で分離される明暗」とは明部と暗部とが媒体面に垂直な境界で分けられる形態を言う）が前記受光領域に形成されるようにした前記媒体面に垂直な境界部を有しており、前記光束が前記光照射部に当たったとき、前記境界部を境として一方の側の光束が前記受光領域へ向かい、前記境界部を境として他方の側の光束が前記受光領域へ向かわないようにし（「前記受光領域へ向かわないようにし」には「前記受光領域へ光が積極的に向かわないように意図した」の意味も含む）、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とするものである。
　【００１０】
　【実施例】
　以下図面を参照して本発明による実施例を具体的に説明する。
第１図乃至第５図は本発明の第一実施例に係り、第１図は光学式ピックアップの対物レンズアクチュエータ部分の断面図、第２図は第１図の上面図、第３図は第１図の位置検出用部材の斜視図、第４図は対物レンズの位置検出の原理説明図、第５図は対物レンズの位置に対する検出出力特性を示す図である。
　【００１１】
　これらの図において符号２１は光学式ピックアップの対物レンズアクチュエータ２１である。このアクチュエータ２１の外枠２２は両端を開口した円筒形状に形成されており、この外枠２２の内側のほぼ中央部に断面形状が矩形で全体が環状に形成された永久磁石２３が固設されている。又、前記永久磁石２３の両極側には、断面形状が矩形およびＬ字状で全体が環状に形成されたヨーク２４ａ，２４ｂが固設されている。前記ヨーク２４ａ，２４ｂの間には間隙が形成されており、該ヨーク２４ａ，２４ｂと永久磁石２３とにより磁気回路を形成している。また、前記外枠２２内には、保持筒２５が配設されている。この保持筒２５は両端を開口したほぼ筒状の中筒部２５ａと、この中筒部２５ａの外側に同芯筒状に一体形成され、一端側（上端側）を開口したコイル保持筒部２５ｂとから形成されている。前記コイル保持筒部２５ｂの外周には、フオーカシング用ボイスコイル２６が巻装されている。
　【００１２】
　このフオーカシング用ボイスコイル２６が巻装されたコイル保持筒部２５ｂは、該ボイスコイル２６を前記永久磁石２３に対時するようその一端（上側）開口側を前記ヨーク２４ａ，２４ｂで形成する間隙に出入自在に嵌入されている。前記保持筒２５は、その中筒部２５ａの上端部において、ヨーク２４ｂの上部に配設されたスペース２７に周辺を保持された弾性材よりなるフォーカシング用渦巻ばね２８ａにより外枠２２に取付けられている。又、前記保持筒２５は、その中筒部２５ａの下端側において、外枠２２の下端側に配設されたスペーサ２９に周辺を保持された前記同様のフォーカシング用渦巻ばね２８ｂにより該外枠２２に取付けられている。即ち、保持筒２５はフォーカシング用渦巻ばね２８ａ，２８ｂによりその軸方向（光軸方向Ｆ）に変位自在に外枠２２に支持されている。前記フォーカシング用渦巻ばね２８ａ上方の外枠２２内側には、ヨーク保持枠３０が装着されており、このヨーク保持枠３０に、棒状に形成され、かつトラヅキング方向Ｔに平行に配置された一対の第１および第２固定ヨーク３１ａ，３１ｂと、この第１および第２固定ヨーク３１ａ，３１ｂの両端部に連結された一対の第１および第２永久磁石３２ａ，３２ｂとが設けられている。前記第１および第２固定ヨーク３１ａ，３１ｂのほぼ中央部にはトラッキング用コイル３３ａ，３３ｂが巻装されている。前記トラッキング用コイル３３ａ，３３ｂが巻装された第１および第２固定ヨーク３１ａ，３１ｂの間には対物レンズ３４が配設されている。この対物レンズ３４は、その光軸方向を外枠２２の中心軸方向に向け、レンズ保持枠３５に取付けられている。このレンズ保持枠３５の外側には、前記トラッキング用コイル３３ａ，３３ｂに対侍するよう形成された磁性部材３６が嵌着されている。前記、レンズ保持枠３５と磁性部材３６との間には、間隙が形成されており、この間隙に対物レンズ３４を光軸に対し直交するトラッキング方向Ｔに駆動する一対の弾性部材よりなるトラッキング用板ばね３７，３７の一端部が挿入し固定されている。そして、前記トラッキング用板ばね３７，３７の他端部側は保持筒２５内を挿通され、かつこの保持筒２５の下端部内側に固定されている。即ち、前記対物レンズ３４は保持筒２５にトラッキング用板ばね３７，３７を介して支持され、トラッキング方向Ｔに変位自在になっている。
　【００１３】
　一方、前記第１（又は第２）永久磁石３２ａに近い第１固定ヨーク３１ａの内面側には、受光素子固定部材３８が装着されており、この固定部材３８に受光素子３９が固着されている。この受光素子３９は、トラッキング方向に２分割された受光領域３９ａ，３９ｂを有している。又、前記受光素子３９に対持する第２固定ヨーク３１ｂには、発光素子固定部材４０が装着されており、この固定部材４０に発光素子４１が固着されている。又、前記対物レンズ３４を取付けたレンズ保持枠３５には、位置検出用部材４２が固着されている。この位置検出用部材４２は、板材等からなり環状の取付部４３と、この取付部４３の一部から細長く延出されその端部側の直角方向に曲折した検出部４４とから形成されている。
　【００１４】
　そして、前記位置検出用部材４２は、その検出部４４が前記発光素子４１と受光素子３９とを結ぶ光軸の中心に位置するよう配置され、取付部４３をレンズ保持枠３５に嵌合して取付けられている。尚、前記受光素子３９の受光領域３９ａ，３９ｂで検出される受光量の出力差信号に比例したトラッキング電流がトラッキング用コイル３３ａ，３３ｂに流れるようになっている。図４において、長方形の線図で描かれた検出部４４のうち発光素子４１側の角における紙面に垂直な稜が境界部に相当する。図３では、検出部４４の手前側に発光素子４１が配置されているとすれば、検出部４４の手前側の稜（検出部４４の線図のうちで手前側の２本の縦線）に相当する。
　【００１５】
　このような構成では、通常の記録再生時にはフォーカスエラー信号電流をボイスコイル２６に流すと保持筒２５に力が作用しフォーカシング用渦巻ばね２８ａ，２８ｂのたわみ変形により、対物レンズ３４はフォーカシング方向Ｆに変位する。又、トラッキングエラー信号電流をトラッキング用コイル３３ａ，３３ｂに流すと同様にトラッキング用板ばね３７，３７のたわみ変形により、対物レンズ３４はトラッキング方向Ｔに変位する。
　【００１６】
　次に高速アクセス動作等のために、対物レンズ３４がトラッキング方向Ｔに移動した場合には、その移動とともに位置検出用部材４２が変位し、その検出部４４が発光素子４１から出射され受光素子３９に受光される光量分布を変化させる。対物レンズ３４が変位しない場合において、発光素子４１の光軸と受光素子３９のトラッキング方向の２分割線と、検出部４４の中心を一致させるように位置させておけば受光素子３９の２分割した受光領域３９ａ，３９ｂの出力電圧差は０となる。又、対物レンズ３４が変位した場合には、検出部４４の変位に比例した光量分布となり図５に示すように受光素子３９の受光領域３９ａ，３９ｂの出力電圧差は対物レンズ３４の位置の変位に比例する。この出力電圧差に比例した電流がトラッキング用コイル３３ａ，３３ｂに流れるようフィードバックしてサーボ系クローズドループを形成し、対物レンズ３４のトラッキング方向Ｔの変位０の位置に保持制御される。従って、高速アクセス時等に生じる対物レンズの不要振動を防止することができる。この実施例では、対物レンズ３４とともに動く検出部４４を発光素子４１と受光素子３９との間に配置しているため、その検出する出力信号を線形にすることができ、又、小型軽量化することができる。
　【００１７】
　なお、前記検出部４４は前記対物レンズ３４と共にトラッキング方向Ｔとフォーカシング方向Ｆの２方向に移動する。その検出部４４に対して前記発光素子４１及び受光素子３９は検出部４４の移動方向であるトラッキング方向及びフォーカシング方向とは平行方向ではなく、直交する方向に位置している。そのため、検出部４４が対物レンズ３４と共に移動しても検出部４４と、発光素子４１及び受光素子３９との間隔は変化しない。そのため、検出部４４と、発光素子４１及び受光素子３９との間隔を小さくすることができる。従って、光学式ピックアップを小型にできる。また、検出部４４が所望の検出方向ではないフォーカシング方向に移動した場合でも受光素子３９上の光が変化しない。そのため検出部４４がフォーカシング方向に移動したときに受光素子３９上の光が移動する等変化して検出精度が低下する事がない。
　【００１８】
　図６は本発明の参考例を示す図であり、位置検出用部材部分の斜視図である。この参考例は、位置検出用部材５１が環状の取付部５２と、この取付部５２の一部分から細長く水平に延出形成された検出部５３とから形成されている。そして、前記位置検出用部材５１は、その検出部５３が前記第一実施例と同様に固定された発光素子５４と受光素子５５とを結ぶ光軸の中心に位置するよう配置されている。前記受光素子５５は、フォーカシング方向Ｆに２分割された受光領域５５ａ，５５ｂを有している。他の構成は、第一実施例と同様である。
　【００１９】
　このような構成では、対物レンズ３４がフォーカシング方向Ｆに移動した場合に、第一実施例と同様にして、該対物レンズ３４のフォーカシング方向Ｆの位置を受光素子５５の出力電圧差として検出し、フォーカス方向Ｆの制御ができる。
　尚、前記実施例において、位置検出用部材４２，５１の検出部４４，５３は対物レンズ３４とともに動く部分に固定されていればよく、一体または別体に形成できその形状も例えば光を遮光する遮光部でも光を透過する窓部に形成されていてもよい。
　【００２０】
　又、発光素子４１，５４、受光素子３９，５５は固定部材４０，３８等を用いないで直接固定ヨーク３１ａ，３１ｂに固定してもよく、永久磁石３２ａ（あるいは３２ｂ）等に固定してもよい。さらに、対物レンズアクチュエータの構造は、実施例のものに限定されない。
　【００２１】
　【発明の効果】
　本発明の光学式ピックアップは、情報がトラック状に記録された記録媒体の情報を読みとるために、レンズ保持部材（例えば前記実施例のレンズ保持枠３５）に固定されたレンズ（例えば前記実施例の対物レンズ３４）を前記記録媒体の媒体面にほぼ垂直な第１の方向と前記媒体面に平行で情報トラックを横切る第２の方向に駆動するようにし、べース（例えば前記実施例の第１および第２固定ヨーク３１ａ，３１ｂ、第１および第２永久磁石３２ａ，３２ｂなどのように光学式ピックアップにおいて静止している部材はベースに該当する）に固定された発光素子から発した光束が前記レンズ保持部材に配置した光照射部（例えば前記図４の構成の場合では、検出部４４の発光素子４１に対向する面で且つ発光素子４１から発する光束が当たる面）に当たった後、前記ベースに固定された少なくとも２つの受光領域へ向かうようにし、前記レンズを前記第２の方向に駆動するための第１のコイル（例えば図２の構成の場合では、トラッキング用コイル３３ａ）と第２のコイル（例えば図２の構成の場合では、トラッキング用コイル３３ｂ）との間に前記レンズ保持部材が存在するようにした光学式ピックアップにおいて、
　前記光照射部は前記レンズ保持部材と一体となってほぼ直交する２方向に移動すると共に前記媒体面に垂直な境界（例えば、前記実施例の図４の受光領域３９ａ，３９ｂの面に入射する光束の暗部と明部の境界、当該境界は媒体面に垂直の関係になっている）で分離される明暗が前記受光領域に形成されるようにした前記媒体面に垂直な境界部〔例えば、図４の構成の場合では、長方形の線図で描かれた検出部４４のうち発光素子４１側の２つの角における紙面に垂直な２つの稜が境界部に相当する。図３の構成の場合では、検出部４４の手前側に発光素子４１が配置されているとすれば、検出部４４の手前側の２つの稜（検出部４４の線図のうちで手前側の縦の２本の直線）が境界部に相当する〕を有しており、前記光束が前記光照射部に当たったとき、前記境界部を境として一方の側の光束が前記受光領域へ向かい、前記境界部を境として他方の側の光束が前記受光領域へ向かわないようにし、前記光照射部は２つの前記境界部を有し、前記各境界部を境とする前記一方の側の光束がそれぞれ前記受光領域へ達するようにし、前記受光領域の出力信号を比較するようにし、前記第１のコイルと前記第２のコイルとに交わる前記媒体面に垂直な仮想平面を想定したとき、前記光照射部は前記仮想平面に交わらないように配置されていることを特徴とするから、本発明は以下の効果がある。
　極めて簡単な構成で対物レンズのベースに対する変位位置を高精度で検出でき、且つ小型の光学式ピックアップを得ることができる利点がある。
【図面の簡単な説明】
　【図１】　本発明の第１実施例の断面図である。
　【図２】　図１の上面図である。
　【図３】　図１の位置検出用部材の斜視図である。
　【図４】　対物レンズ位置検出の原理説明図である。
　【図５】　対物レンズの位置に対する検出出力特性を示す図である。
　【図６】　本発明の参考例を示す図である。
　【図７】　従来例の光学式ピックアップの原理説明図である。
　【符号の説明】
２８ａ，２８ｂ　フォーカシング用渦巻ばね
３１ａ，３１ｂ　第１および第２固定ヨーク
３２ａ，３２ｂ　第１および第２永久磁石
３３ａ，３３ｂ　トラッキング用コイル
３４　対物レンズ
３５　レンズ保持枠
３６　磁性部材
３７　トラッキング用板ばね
３９，５５　受光素子
４１，５４　発光素子
４２，５１　位置検出用部材
４４，５３　検出部